【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】  領収書または小切手を含む書面から、遠隔地で取得された書面的取引を中央で管理および保存し、報告を作成するためのシステムであって、
書面的取引データを取得および送信するための一以上の遠隔データアクセスサブシステムであって、前記取引データの取得および送信を管理する少なくとも一つのデータアクセスコントローラを備えた遠隔データアクセスサブシステムと、
前記取引データの処理、送信および保存を管理するためのデータ管理サブシステムを備えた、前記書面的取引データを処理、送信、確認および保存するための少なくとも一つの中央データ処理サブシステムと、
前記一以上のデータアクセスサブシステムおよび前記少なくとも一つのデータ処理サブシステム中、およびこれらサブシステム間で前記取引データを送信するための、少なくとも一つの通信ネットワークと
を具備したシステム。
【請求項２】  請求項１に記載のシステムであって、前記一以上のデータアクセスサブシステムが、更に、前記書面的取引データを取得するための少なくとも一つのスキャナーを具備するシステム。
【請求項３】  請求項２に記載のシステムであって、前記一以上のデータアクセスサブシステムはクレジットカード、スマートカードおよびデビットカード、署名データまたは生物測定学的データからの電子的取引をも取得し、更に、前記電子的取引データを捕捉するための少なくとも一つのカードインターフェースと、
電子的署名を取得するための書名インターフェースと、
生物測定学的データを取得するための、少なくとも一つの生物測定学的インターフェースと
を具備するシステム。
【請求項４】  請求項３に記載のシステムであって、前記少なくとも一つのデータアクセスコントローラは、前記取得された取引データをビットマップ画像、圧縮ビットマップ画像、コード化圧縮ビットマップ画像、および前記取引データ取得の場所および時間を同定する情報でタグを付したコード化圧縮ビットマップ画像へと逐次変換するシステム。
【請求項５】  請求項４に記載のシステムであって、前記一以上のデータアクセスサブシステムは、更に、前記タグを付したコード化圧縮ビットマップ画像を保存するためのデジタル記憶装置を具備するシステム。
【請求項６】  請求項５に記載のシステムであって、前記少なくとも一つのカードインターフェースが電子的取引を開始するシステム。
【請求項７】  請求項６に記載のシステムであって、前記一以上のデータアクセスサブシステムは、更に、前記少なくとも一つのカードインターフェースにより開始された書面的取引を印刷するための、少なくとも一つのプリンタを具備するシステム。
【請求項８】  請求項７に記載のシステムであって、前記少なくとも一つのプリンタにより印刷された書面的取引がデータグリフを含むシステム。
【請求項９】  請求項１に記載のシステムであって、前記少なくとも一つのデータ処理サブシステムの前記データ管理サブシステムは、取引データのための前記一以上の遠隔データアクセスサブシステムをポーリングするための、少なくとも一つのサーバーと、
前記取引データを有用な形式で保存するためのデータベースサブシステムと、
前記取引データから報告を作成し、ソフトウエアアプリケーションにデータを提供するための報告作成機と、
前記取引データの保存の管理するための少なくとも一つの中央演算ユニットと、
前記少なくとも一つのサーバー間で取引データをバランスさせるために、前記少なくとも一つのサーバーのうちの一つが前記取引データの一部を受け取るように、ダイナミックに割当てるためのドメイン名サービスプログラムと、
メモリーヒエラルキーと
を具備するシステム。
【請求項１０】  請求項９に記載のシステムであって、前記少なくとも一つのサーバーはまた、生物測定学的データおよび署名データを得るためにポーリングし、前記データベースは該生物測定学的データおよび署名データを保存し、前記少なくとも一つの中央演算ユニットは前記生物学的データおよび署名データを確認するシステム。
【請求項１１】  請求項９に記載のシステムであって、前記メモリーヒエラルキーは、最近アクセスされた取引データを保存するための少なくとも一つの主メモリーと、他の取引データを保存するための副メモリーとを具備するシステム。
【請求項１２】  請求項１１に記載のシステムであって、前記少なくとも一つの副メモリーは、少なくとも一つのライトワンス・リードメニー・ジュークボックスと、少なくとも一つの光記憶ジュークボックスとを具備するシステム。
【請求項１３】  請求項１２に記載のシステムであって、前記少なくとも一つの光記憶ジュークボックスは、コンパクトディスク読取り専用メモリー形因子の金属製ライトワンス・リードメニー・ディスクを含む読取り専用メモリー技術を具備するシステム。
【請求項１４】  請求項９に記載のシステムであって、前記データベースサブシステムは、保存された取引データをパネルに分割して該パネルの位置を同定するための、少なくとも一つの予め決められたテンプレートを具備するシステム。
【請求項１５】  請求項１４に記載のシステムであって、前記データ処理サブシステムは、更に、保存された取引データのパネルにおけるエラーを補正するためのデータエントリー・ゲートウエイを具備するシステム。
【請求項１６】  請求項１に記載のシステムであって、前記少なくとも一つの通信ネットワークが、
前記一以上の遠隔データアクセスサブシステムの対応する一つの中でデータを送信するための、少なくとも一つの第一のローカルエリアネットワークと、
前記一以上のデータ処理サブシステムの対応する一つの中でデータを送信するための、少なくとも一つの第二のローカルエリアネットワークと、
前記一以上の遠隔データアクセスサブシステムと前記少なくともデータ処理サブシステムとの間でデータを送信するための、少なくとも一つの広域ネットワークと
を具備するシステム。
【請求項１７】  請求項１６に記載のシステムであって、前記少なくとも一つの通信ネットワークが、更に、前記一以上のデータアクセスサブシステムにおける前記少なくとも一つの第一のローカルエリアネットワークを、前記少なくとも一つの広域ネットワークを介して、前記少なくとも一つのデータ処理サブシステムにおける前記少なくとも一つの第二のローカルエリアネットワークの対応する一つに接続するための、少なくとも一つのモデムと、
前記少なくとも一つのデータ処理サブシステムにおける前記少なくとも一つの第二のローカルエリアネットワークを、前記少なくとも一つの広域ネットワークを介して、前記一以上のデータアクセスサブシステムにおける前記少なくとも一つの第一のローカルエリアネットワークの対応する幾つかに接続するための、少なくとも一つのモデムバンクと
を具備するシステム。
【請求項１８】  請求項１に記載のシステムであって、更に、電子的または書面的取引データを収集および送信するための、前記取引データの収集および送信を管理する更なる管理サブシステムを備えた、少なくとも一つのデータ収集サブシステムを具備するシステム。
【請求項１９】  請求項１８に記載のシステムであって、前記少なくとも一つのデータ収集サブシステムにおける前記更なるデータ管理サブシステムは、取引データについて前記一以上の遠隔データアクセスサブシステムをポーリングするための、少なくとも一つのサーバーと、
前記取引データを有用な形式で保存するためのデータベースと、
前記取引データの収集を管理するための、少なくとも一つの中央演算ユニットと、
前記少なくとも一つのサーバーの間で取引データをバランスさせるために、前記取引データの一部を受け取るように、前記少なくとも一つのサーバーのうちの一つにダイナミックに割当てるためのドメイン名サービスプログラムと、
メモリーヒエラルキーと
を具備するシステム。
【請求項２０】  請求項１９に記載のシステムであって、前記メモリーヒエラルキーは、取引データを収集するための少なくとも一つの主メモリーと、前記取引データをバックアップ保存するための少なくとも一つの副メモリーとを具備するシステム。
【請求項２１】  請求項２０に記載のシステムであって、前記少なくとも一つの副メモリーが、少なくとも一つのDLTジュークボックスを具備するシステム。
【請求項２２】  請求項１８に記載のシステムであって、前記少なくとも一つの通信ネットワークが、
前記一以上の遠隔データアクセスサブシステムの対応する一つの中でデータを送信するための、少なくとも一つの第一のローカルエリアネットワークと、
前記少なくとも一つのデータ収集サブシステムの対応する一つの中でデータを送信するための、少なくとも一つの第二のローカルエリアネットワークと、
前記少なくとも一つのデータ処理サブシステムの対応する一つの中でデータを送信するための、少なくとも一つの第三のローカルエリアネットワークと、
前記一以上の遠隔データアクセスサブシステム、前記少なくとも一つのデータ補正サブシステム、および前記少なくとも一つのデータ処理サブシステムの間でデータを送信するための、少なくとも一つの広域ネットワークと
を具備するシステム。
【請求項２３】  請求項２２に記載のシステムであって、前記少なくとも一つの通信ネットワークが、更に、前記一以上のデータアクセスサブシステムにおける前記少なくとも一つの第一のローカルエリアネットワークを、前記少なくとも一つの広域ネットワークを介して、前記少なくとも一つの第二のローカルネットワークの対応する一つに接続するための、少なくとも一つの第一のモデムと、
前記少なくとも一つのデータ収集サブシステムにおける前記少なくとも一つの第二のローカルエリアネットワークを、前記少なくとも一つの広域ネットワークを介して、前記一以上のデータアクセスサブシステムにおける前記少なくとも一つの第一のローカルエリアネットワークの対応する幾つかに接続するための、少なくとも一つのモデムバンクと、
前記少なくとも一つのデータ収集サブシステムにおける前記少なくとも一つの第二のローカルエリアネットワークの対応する一つを、前記少なくとも一つの広域ネットワークに接続するための、少なくとも一つの第一の広域ネットワークルーターと、
前記少なくとも一つのデータ処理サブシステムにおける前記少なくとも一つの第三のローカルエリアネットワークの対応する一つを、前記少なくとも一つの広域ネットワークに接続するための、少なくとも一つの第二の広域ネットワークルーターと
を具備するシステム。
【請求項２４】  請求項２３に記載のシステムであって、前記少なくとも一つの第一の広域ネットワークおよび前記少なくとも一つの第二の広域ネットワークはキャリア雲を具備し、該キャリア雲は、前記取引データを送信するためにフレームリレー法を使用するシステム。
【請求項２５】  請求項２２に記載のシステムであって、前記少なくとも一つの第二のローカルエリアネットワークおよび前記少なくとも一つの第三のローカルエリアネットワークは、更に、前記少なくとも一つの第二のローカルエリアネットワークおよび前記少なくとも一つの第三のローカルエリアネットワーク内で取引データを経路指定するための、少なくとも一つのネットワークスイッチの対応する一つを具備するシステム。
【請求項２６】  領収書または小切手を含む書面から、遠隔地で取得された書面的取引を中央で管理、保存および確認するための方法であって、
一以上の遠隔地において、書面的取引データを取得および送信するステップと、
前記取引データの取得および送信を管理するステップと、
前記取引データを、中央で収集、処理、送信および保存するステップと、
前記取引データの収集、処理、送信および保存を管理するステップと、
前記取引データを、前記遠隔位置および中央位置の中、およびこれら位置間で送信するステップと
を具備する方法。
【請求項２７】  請求項２６に記載の方法であって、前記取得および送信を管理するステップが、
前記取得された取引データをビットマップ画像、圧縮ビットマップ画像、コード化圧縮ビットマップ画像、および前記取引データ取得の場所および時間を同定する情報でタグを付したコード化圧縮ビットマップ画像へと逐次変換するステップと、
前記タグを付したコード化圧縮ビットマップ画像を保存するステップと
を具備する方法。
【請求項２８】  請求項２７に記載の方法であって、前記取得および送信を管理するステップは、クレジットカード、スマートカードおよびデビットカード、署名データまたは生物測定学的データからの電子的取引をも取得し、更に、
電子的取引を開始するステップと、
署名データを取得するステップと、
生物測定学的データを取得するステップと、
開始された電子的取引について、データグリフを伴う書面取引を印刷するステップと
を具備する方法。
【請求項２９】  請求項２６に記載の方法であって、
前記取得および送信のステップは、複数の遠隔位置で生じ、
前記収集、処理、送信および保存のステップは、複数の中央位置で生じる方法。
【請求項３０】  請求項２９に記載の方法であって、前記取得、処理、送信および保存のステップは、
中央位置にあるサーバーを用いて、取引データを得るために遠隔位置をポーリングするステップと、
前記取引データを中央位置でメモリーヒエラルキーに保存し、該保存は、最近アクセスされた取引データを主メモリーに保持し、他の取引データを副メモリーに保存するステップと、
前記サーバーの間で前記取引データをバランスさせるために、前記取引データの一部を受け取るように前記中央位置のサーバーをダイナミックに割当てるステップと、
前記取引データから報告を作成し、またデータをソフトウエアアプリケーションに提供するステップと
を具備する方法。
【請求項３１】  請求項３０に記載の方法であって、前記取引データを保存するステップは、
予め定められたテンプレートを用いて、前記保存された取引データをパネルに分割するステップと、
該パネルの位置を同定するステップと
を具備する方法。
【請求項３２】  請求項３１に記載の方法であって、前記取引データの収集、処理、送信および保存を管理するステップは、保存された取引データのパネルにおけるエラーを補正することを含む方法。
【請求項３３】  請求項３２に記載の方法であって、更に、取得された電子データ、取得された署名データおよび取得された生物測定学的データを得るために、中央位置にあるサーバーを用いて遠隔位置をポーリングするステップと、
前記取得された署名データおよび取得された生物測定学的データを、同定確認のために、保存された書名データおよび保存された生物測定学的データと夫々比較するステップと
を具備した方法。
【請求項３４】  請求項３２に記載の方法であって、前記取引データを送信するステップは、
前記遠隔位置の中でデータを送信するステップと、
夫々の遠隔位置から対応する中央位置へとデータを送信するステップと、
前記中央位置内でデータを送信するステップと
を具備する方法。
【請求項３５】  請求項３４に記載の方法であって、夫々の遠隔位置から対応する中央位置へとデータを送信する前記ステップは、
夫々の遠隔位置を対応する中央位置に接続するステップと、
夫々の中央位置を対応する遠隔位置に接続するステップと
を具備する方法。
【請求項３６】  請求項２９に記載の方法であって、更に、
電子的または書面的取引データを、中間位置で収集および送信するステップと、
前記取引データの収集および送信を管理するステップと、
前記中間の位置内で前記取引データを送信し、また前記中間位置、前記遠隔位置および前記中央位置の間で前記取引データを送信するステップと
を具備する方法。
【請求項３７】  請求項３６に記載の方法であって、前記収集および送信を管理するステップが、
前記中間位置のサーバーを用いて、取引データを得るために前記遠隔位置をポーリングするステップと、
前記取引データを有用な形式で前記中間位置に保存し、該保存は、取引データをメモリーヒエラルキーの主メモリーに保持し、前記取引データをメモリーヒエラルキーの副メモリーの中にバックアップ保存するステップと、
前記サーバーの間で前記取引データをバランスさせるために、前記取引データの一部を受け取るように前記中央位置のサーバーをダイナミックに割当てるステップと
を具備する方法。
【請求項３８】  請求項３６に記載の方法であって、前記取引データを送信するステップが、
前記遠隔位置内でデータを送信するステップと、
夫々の遠隔位置から対応する中間位置へとデータを送信するステップと、
前記中間位置内でデータを送信するステップと、
夫々の中間位置から対応する中央位置へとデータを送信するステップと、
前記中央位置内でデータを送信するステップと
を具備する方法。
【請求項３９】  請求項３８に記載の方法であって、夫々の遠隔位置から対応の中間位置へとデータを送信する前記ステップが、
夫々の遠隔位置を対応の中間位置に接続するステップと、
前記中間位置を対応の遠隔位置に接続するステップと
を具備する方法。
【請求項４０】  請求項３８に記載の方法であって、夫々の中間位置から対応の中央位置へとデータを送信する前記ステップが、
夫々の中間位置を外部通信ネットワークに接続するステップと、
前記対応する中央位置を前記通信ネットワークに接続するステップと
を具備する方法。
【請求項４１】  請求項４０に記載の方法であって、夫々の中間位置から対応の中央位置にデータを送信する前記ステップは、更に、
前記取引データをフレームにパッケージングするステップと、
前記フレームを、外部通信ネットワークを介して送信するステップと
を具備する方法。
【請求項４２】  階層構造を形成する一以上の遠隔サブシステム、少なくとも一つの中間サブシステム、および少なくとも一つの中央サブシステムの、各サブシステム内およびこれらサブシステムの間でデータを送信するための通信ネットワークであり、前記少なくとも一つの中央データ処理サブシステムの各々は、対応する幾つかの前記少なくとも一つのデータ収集サブシステムと通信し、前記少なくとも一つのデータ収集サブシステムの各々は、対応する幾つかの前記一以上のデータ処理サブシステムと通信する通信ネットワークであって、
前記一以上の遠隔サブシステムの対応する一つの中でデータを送信するための、少なくとも一つの第一のローカルエリアネットワークと、
前記少なくとも一つの中間サブシステムの対応する一つの中でデータを送信するための、少なくとも一つの第二のローカルエリアネットワークと、
前記少なくとも一つの中央サブシステムの対応する一つの中でデータを送信するための、少なくとも一つの第三のローカルエリアネットワークと、
前記一以上の遠隔サブシステム、前記少なくとも一つの中間サブシステム、および前記少なくとも一つの中央サブシステムの間でデータを通信するための、少なくとも一つの広域ネットワークと
を具備する通信ネットワーク。
【請求項４３】  請求項４２に記載の通信ネットワークであって、更に、
前記一以上の遠隔サブシステムにおける前記少なくとも一つの第一のローカルエリアネットワークを、前記少なくとも一つの広域ネットワークを介して、前記少なくとも一つの第二のローカルネットワークの対応する一つに接続するための、少なくとも一つの第一のモデムと、
前記少なくとも一つの中間サブシステムにおける前記少なくとも一つの第二のローカルエリアネットワークを、前記少なくとも一つの広域ネットワークを介して、前記一以上の遠隔サブシステムにおける前記少なくとも一つの第一のローカルエリアネットワークの対応する幾つかに接続するための、少なくとも一つのモデムバンクと、
前記少なくとも一つの中間サブシステムにおける前記少なくとも一つの第二のローカルエリアネットワークの対応する一つを、前記少なくとも一つの広域ネットワークに接続するための、少なくとも一つの第一の広域ネットワークルーターと、
前記少なくとも一つの中央サブシステムにおける前記少なくとも一つの第三のローカルエリアネットワークの対応する一つを、前記少なくとも一つの広域ネットワークに接続するための、少なくとも一つの第二の広域ネットワークルーターと
を具備する通信ネットワーク。
【請求項４４】  請求項４３に記載のシステムであって、前記少なくとも一つの第一の広域ネットワークおよび前記少なくとも一つの第二の広域ネットワークはキャリア雲を具備し、該キャリア雲は、前記取引データを送信するためにフレームリレー法を利用するシステム。
【請求項４５】  請求項４４に記載のシステムであって、前記少なくとも一つの第二のローカルエリアネットワークおよび前記少なくとも一つの第三のローカルエリアネットワークは、更に、前記少なくとも一つの第二のローカルエリアネットワークおよび前記少なくとも一つの第三のローカルエリアネットワーク内で取引データを経路指定するための、少なくとも一つのネットワークスイッチの対応する一つを具備し、更に、前記データは、（ａ）クレジットカード、スマートカードおよびデビットカード、署名データ、または生物測定学的データからの電子的取引、または（ｂ）領収書または小切手を含む書面からの書面的取引を構成するシステム。
【請求項４６】  階層構造的な一以上の遠隔サブシステム、少なくとも一つの中間サブシステム、および少なくとも一つの中央サブシステムの、各サブシステム内およびこれらサブシステム間でデータを送信するための方法であり、前記中央サブシステムの各々は対応する幾つかの前記中間サブシステムと通信し、前記中間サブシステムの各々は対応する幾つかの前記中央サブシステムと通信する方法であって、
前記遠隔位置内でデータを送信するステップと、
夫々の遠隔位置から対応する中間位置へデータを送信するステップと、
前記中間位置内でデータを送信するステップと、
夫々の中間位置から対応する中央位置へデータを送信するステップと、
前記中央位置内でデータを送信するステップと
を具備する方法。
【請求項４７】  請求項４６に記載の方法であって、夫々の遠隔位置から対応の中間位置へデータを送信する前記ステップは、
各々の遠隔位置を対応の中間位置に接続するステップと、
前記中間位置を対応の遠隔位置に接続するステップと
を具備する方法。
【請求項４８】  請求項４７に記載の方法であって、夫々の中間位置から対応の中央位置へのデータの送信が、
各々の中間位置を外部通信ネットワークに接続するステップと、
対応の中央位置を外部通信ネットワークに接続するステップと
を具備する方法。
【請求項４９】  請求項４８に記載の方法であって、夫々の中間位置から対応の中央位置へデータを送信する前記ステップが、更に、
前記取引データをフレームにパッケージングするステップと、
前記フレームを、外部通信ネットワークを介して送信するステップと
を具備する方法。
【請求項５０】  請求項４６に記載の方法であって、前記データは、（ａ）クレジットカード、スマートカードおよびデビットカード、署名データ、または生物測定学的データからの電子的取引、または（ｂ）領収書または小切手を含む書面からの書面的取引から得られる方法。
【請求項５１】  領収書または小切手を含む書面から、遠隔地で取得された書面的取引を中央で管理、保存および確認するための請求項３３に記載の方法であって、前記比較するステップは、更に、前記取得された電子的データを保存された電子的データと比較するステップを具備する方法。
【請求項５２】  領収書または小切手を含む書面から、遠隔地で取得された書面的取引を中央で管理、保存および確認するための請求項５１に記載の方法であって、前記取引データは、支払人の銀行の識別番号、支払人の銀行の経路指定番号、支払人の銀行の経路指定情報、支払いの口座番号、支払人の小切手、支払人の銀行手形、小切手の額、受取人の銀行識別番号、受取人の銀行経路指定情報、および受取人の口座番号を含む方法。
【請求項５３】  領収書または小切手を含む書面から、遠隔地で取得された書面的取引を中央で管理、保存および確認するための請求項５２に記載の方法であって、前記収集、処理、送信および保存を管理する前記ステップは、更に、支払人の銀行から受取人の銀行へ預金を電子的に移転することによって前記書面的取引を行うステップを具備する方法。
【手続補正２】
【補正対象書類名】明細書
【補正対象項目名】０１０３
【補正方法】変更
【補正の内容】
【０１０３】
好ましい実施例において、DPCサーバー602はまた、EMC 3700 SYMMETRIX CUBEディスク記憶システムを具備しており、これはDECアルファサーバーにより収集および管理された画像およびデータを保存する。DAC 400基本構造と同様に、DPC 600基本構造は、EMCから入手可能なSIMMETRIX遠隔データ施設（SRDF）を使用して、複数の物理的に離間されたデータセンターハウジングＥＭＣ保存システムが、広域ネットワーク（WAN）の全域に亘って相互の冗長性バックアップを維持することを可能にする。
【手続補正３】
【補正対象書類名】明細書
【補正対象項目名】０１０７
【補正方法】変更
【補正の内容】
【０１０７】
当業者に公知のように、データトレジャリーシステム100は、選択されたワークステーションが命令を取得し、データを取得し、取得した命令を取得したデータを用いて実行し、結果を保存するような標準の動作を実行する能力を有する限り、他の集積回路販売業者からの中央演算ユニットを備えたワークステーションを使用することができるであろう。同様に、データトレジャリーシステム100は、選択されたソフトウエアがワークステーションおよびネットワークのリンクの状態をモニターし、決定された状態をオペレータに表示できる限り、別のウインドウズオペレーティングシステムおよびネットワークモニターソフトウエアを使用することができるであろう。遠隔データエントリーゲートウエイ614およびオフサイトのデータエントリー施設616は、DAT 200によるデータ取得の際に生じた
エラーを訂正する。データトレジャリーシステム100は、図３ｂのサンプル領収書の説明で述べたように書面を分割するから、遠隔データエントリーゲートウエイ614またはオフサイトのデータエントリー施設616にいるオペレータは、エラーを含む書面の一部または画像断片の訂正のみを必要とする。